(57)【要約】【課題】操作性を高めることにより高い治療効果を実現することが可能な鍼保持具及び鍼治療システムを提供すること【解決手段】本発明にかかる鍼保持具１は、鍼通電を行うための鍼保持具であって、鍼を保持する保持部１３と、保持部１３と電気的に接続され、外部より鍼通電のための電流が供給される端子部１１とを有する。鍼通電時には、保持部１３の少なくとも一部が施術者の押し手によって内包され、かつ、端子部１１が施術者の押し手より外側に露出した状態で、鍼保持具１は、施術者によって把持される。【選択図】図１
2018057481.tif 000002
【特許請求の範囲】
【請求項１】
鍼通電を行うための鍼保持具であって、
鍼を保持する保持部と、
前記保持部と電気的に接続され、外部より鍼通電のための電流が供給される端子部とを有し、
鍼通電時には、前記保持部の少なくとも一部が施術者の押し手によって内包され、かつ、前記端子部が施術者の押し手より外側に露出した状態で、
当該施術者によって把持される鍼保持具。
【請求項２】
前記鍼保持具は、鍼通電時に、施術者の押し手の親指と人差し指によって保持される請求項１に記載の鍼保持具。
【請求項３】
前記保持部は、前記鍼を挟み込むことによって保持する請求項１又は２に記載の鍼保持具。
【請求項４】
前記端子部は、鍼通電時に、施術者の親指よりも上側に露出する請求項１乃至３いずれかに記載の鍼保持具。
【請求項５】
前記端子部は、鍼通電時に、施術者の親指よりも下側から外に向けて露出する請求項１乃至３いずれかに記載の鍼保持具。
【請求項６】
請求項１乃至５いずれかに記載の鍼保持具と、
前記端子部に対して低周波電流を供給するとともに、不感導子として他の素子に対して低周波電流を供給する低周波電流発生器とを備えた鍼治療システム。
【発明の詳細な説明】
【技術分野】
【０００１】
本発明は、鍼保持具及び鍼治療システムに関し、特に鍼通電を行うための鍼保持具及び鍼治療システムに関する。
【背景技術】
【０００２】
鍼を用いた治療の一つに、鍼通電治療がある。鍼通電治療では、肩や腰等の患部に刺入した鍼を電極として、微弱な低周波電流を流すことにより、患部を治療する。
ここで、非特許文献１に開示されているような鍼電極低周波治療器を用いて、鍼通電治療方法について、説明する。まず、患部である通電部位に対して予め二本の鍼を刺入する。低周波治療器に接続された二本のコードには、通常、その先端に、いわゆるみの虫クリップが取り付けられている。刺入された二本の鍼のそれぞれに、みの虫クリップによって鍼を挟み込む。そして、低周波治療器を操作して当該低周波治療器から二本のコードを介して鍼に対し低周波電流を供給することにより通電を開始する。
【先行技術文献】
【非特許文献】
【０００３】
【非特許文献１】「オームパルサーLPF-4000A取扱説明書」株式会社  全医療器
【非特許文献２】「鍼電極低周波治療器の汚染状況調査」西脇他．東京有明医療大学雑誌Vol. 4:29-31, 2012
【発明の概要】
【発明が解決しようとする課題】
【０００４】
従来の一般的な鍼通電治療方法では、施術者が通電部位を決定し、その通電部位に対して鍼を刺入している。通電部位をどこにするか、またどの程度まの深さまで刺入するかにより患部に対する治療効果は大きく異なるところ、施術者は、自らの知識と経験からくる勘によって通電部位及び深さを決定しているのが実状である。その結果、施術者の経験や能力の違いにより治療効果は大きく変動する。
【０００５】
治療効果の高い適切な箇所に通電するために、通電しながら鍼の刺入部分、すなわち通電部位を変更しようとすると、従来の鍼通電治療方法では、鍼を直接みの虫クリップによって挟み込んでいるため、鍼自身が撓んでしまい、別の位置に再度鍼を刺入することは困難である。ましてや、何度も場所を変えながら鍼の刺入を繰り返すことは極めて難しい。
【０００６】
さらに、鍼の刺入深度を変更するとみの虫クリップまで体液が付着する場合もある。
【０００７】
本発明は、このような課題を解決するためになされたものであり、操作性を高めることにより高い治療効果を実現でき、かつ衛生的な鍼保持具及び鍼治療システムを提供することを目的とする。
【課題を解決するための手段】
【０００８】
本発明にかかる鍼保持具は、鍼通電を行うための鍼保持具であって、鍼を保持する保持部と、前記保持部と電気的に接続され、外部より鍼通電のための電流が供給される端子部とを有し、鍼通電時には、前記保持部の少なくとも一部が施術者の押し手によって内包され、かつ、前記端子部が施術者の押し手より外側に露出した状態で、当該施術者によって把持される。
【０００９】
ここで、前記鍼保持具は、鍼通電時に、施術者の押し手の親指と人差し指によって保持されるものであることが好ましい。
【００１０】
また、前記保持部は、前記鍼を挟み込むことによって保持するようにしてもよい。
【００１１】
さらに、前記端子部は、鍼通電時に、施術者の親指よりも上側に露出するようにしてもよい。
【００１２】
前記端子部は、鍼通電時に、施術者の親指よりも下側から外に向けて露出するようにしてもよい。
【００１３】
本発明にかかる鍼治療システムは、上述の鍼保持具と、前記端子部に対して低周波電流を供給するとともに、不感導子として他の素子に対して低周波電流を供給するする低周波電流発生器とを備えたものである。
【発明の効果】
【００１４】
本発明によれば、操作性を高めることにより高い治療効果を実現でき、かつ衛生的な鍼保持具及び鍼治療システムを提供することができる。
【図面の簡単な説明】
【００１５】
【図１】実施の形態１にかかる鍼治療システムを示す図である。
【図２】実施の形態１にかかる鍼保持具の構成を示す図である。
【図３】実施の形態１にかかる鍼保持具によって鍼を保持した状態を説明するための図である。
【図４】実施の形態１にかかる鍼治療システムにおいて用いられる導電ゴム素子の構成を示す図である。
【図５】実施の形態２にかかる鍼保持具の構成を示す図である。
【図６】実施の形態２にかかる鍼保持具の構成を示す図である。
【図７】実施の形態２にかかる鍼保持具の使用の様子を示す図である。
【図８】その他の実施の形態にかかる鍼保持具の構成を示す図である。
【発明を実施するための形態】
【００１６】
発明の実施の形態１．
以下、図面を参照して本発明の実施の形態について説明する。
以下に、本発明を適用可能な実施の形態を説明する。以下の説明は、本発明の実施形態を説明するものであり、本発明が以下の実施形態に限定されるものではない。説明の明確化のため、以下の記載は、適宜、省略及び簡略化がなされている。又、当業者であれば、以下の実施形態の各要素を、本発明の範囲において容易に変更、追加、変換することが可能である。
【００１７】
図１は、本実施形態にかかる鍼治療システムを説明するための図である。本発明にかかる鍼治療システムは、鍼による通電部位を検索するためのシステムとも捉えることが可能である。
【００１８】
本実施形態にかかる鍼治療システムは、鍼保持具１と、導電ゴム素子２と、低周波電流発生装置３と、鍼４を備えている。
【００１９】
鍼保持具１は、鍼４を挟み込むことにより保持可能な部材である。図１に示されるように、鍼４を患部に対して刺入する際に、施術者が押し手の人差し指と親指で鍼保持具１を挟み込んで用いられる。そのため、鍼保持具１は、薄型部材により構成されている。図１に示す鍼保持具１は、その大部分が親指に隠れる程度の大きさである。本実施の形態にかかる鍼保持具１は、導電性を有する金属で形成されているため、鍼４を挟み込むことで、鍼保持具１と鍼４とが電気的に接続される。
【００２０】
鍼保持具１の一部は、低周波電流発生装置３のコード３１の先端に設けられたみの虫クリップにより挟持される。これにより、低周波電流発生装置３と、コード３１を介して、鍼保持具１とが電気的に接続される。
【００２１】
図２に本実施の形態にかかる鍼保持具１の構成を示す。図に示されるように、鍼保持具１は、導電性及び弾性を有する金属製の線材（ワイヤ）によって構成されている。鍼保持具１は、当該線材を曲げ加工することにより製造可能である。鍼保持具１は、端子部１１と、伝達部１２と、固定部１３を有する。
【００２２】
ここで、端子部１１は、みの虫クリップによって挟持され、低周波電流が供給される部分として機能する。端子部１１は、鍼通電時には、施術者の押し手より外側に露出する。伝達部１２は、端子部１１から内側に屈曲して、端子部１１から固定部１３に対して低周波電流を伝達する機能を有する。固定部１３は、鍼４の鍼体と当接して鍼保持具１に固定し保持する機能を有する。鍼保持具１において鍼４を保持する機能を有する保持部（固定部１３）の少なくとも一部は、鍼通電時に施術者の押し手によって内包される。
【００２３】
図３に、鍼保持具１に鍼４を固定した状態を示す。図に示されるように、鍼４の鍼体の大きく上下２か所において固定部１３により挟み込まれ、弾性的に保持されている。
【００２４】
導電ゴム素子２は、患部に貼って用いられる。このため、導電ゴム素子２は、患部の外表面に沿って形状変化するように柔軟性を有している。図４に導電ゴム素子２の構成を示す。導電ゴム素子２は、図に示されるように、みの虫クリップにより挟持されることによって電気的に接続される端子部２１と、本体部２２を有する。本実施の形態における導電ゴム素子２の本体部２２は、平面視で矩形状であるが、これに限らず、円形状等、他の形状を有していても良い。端子部２１は、低周波電流発生装置３のコード３２の先端に設けられたみの虫クリップにより挟持される。これにより、低周波電流発生装置３と、コード３２を介して、導電ゴム素子２とが電気的に接続される。導電ゴム素子２は、その全体に亘って導電性を有している。このため、導電ゴム素子２の全体を介して、低周波電流発生装置３から低周波電流が患部に対して供給される。
【００２５】
低周波電流発生装置３は、治療のための低周波電流を出力する装置である。低周波電流発生装置３は、出力する低周波電流の周波数を切り替えることが可能である。低周波電流発生装置３が出力する低周波電流の周波数は、例えば、０．５〜１００Ｈｚである。また、低周波電流発生装置３は、出力の強さを、例えば３段階（強：０〜７０Ｖ、中：０〜４０Ｖ、弱：０〜２５Ｖ）に切り替え可能である。
【００２６】
低周波電流発生装置３から出力される極性の異なる二つの低周波電流は、それぞれコード３１、３２から出力される。コード３１、３２は、当該低周波電流発生装置３の出力端子に接続される端子を一方側に有する。また、コード３１、３２のそれぞれの他方側の先端には、みの虫クリップが設けられている。但し、みの虫クリップの代わり、オームクリップ等の他の接続手段であってもよい。本実施の形態において、コード３１は刺激導子に接続され、コード３２は不感導子に接続される。
【００２７】
鍼４は、患部に刺入される鍼体と、当該鍼体よりも短い長さで鍼体の刺入をガイドする鍼管より構成される。本明細書において鍼体を単に「鍼」と表記する場合もある。鍼体は、ステンレス等の導電性を有する金属で構成される。鍼管は、例えば、樹脂等の導電性を有しない金属で構成される。但し、鍼管は、金属等の導電性を有する金属で構成される場合もある。図１に示す鍼４は、鍼管を抜去した後の鍼体を示している。
【００２８】
続いて、図１を用いて、本実施の形態にかかる鍼治療システムを用いて施術者が、患者に対して鍼通電治療方法を実施する様子について説明する。
【００２９】
図１に示されるように、施術者は、導電ゴム素子２を患部付近に貼付固定する。次に、施術者は、低周波電流発生装置３に対して、コード３１、３２の一方側の端子を接続する。その後、施術者は、鍼保持具１の端子部１１（図２、図３参照）を、コード３１のみの虫クリップによって挟み込み、装着する。また、施術者は、導電ゴム素子２の端子を、コード３２のみの虫クリップによって挟み込み、装着する。そして、施術者は、低周波鍼通電器具３を操作して通電を開始する。この時点では、鍼保持具１から患部に対して電気的に遮断されているため、コード３１を介して出力された低周波電流は患部に対して供給されない。
【００３０】
施術者は、コード３１が接続された状態の鍼保持具１に対して鍼４を装着する。装着すると、鍼保持具１において鍼４が挟み込まれた状態となる。この時点で、鍼４は、鍼管中に鍼体が挿入された状態である。
施術者は、図１に示されるように、押し手の親指と人差指によって鍼保持具１を挟み込み、患部近傍に押し手を置く。このとき、図２、３に示す端子部１１が押し手の親指及び人差し指よりも上側に位置し、露出した状態にある。従って、コード３１のみの虫クリップも、押し手の親指や人差し指と接するかその上側に位置する。特に、当該みの虫クリップが、押し手の指の上側に載置した状態だと安定する。
【００３１】
その後、施術者は、患部の皮膚面に対して鍼保持具１を固定した状態で、弾入する。施術者は、弾入が完了した後に鍼管を抜去する。すると、鍼保持具１は鍼４の鍼体に直接に接触するため、両者は電気的に接続した状態となる。これにより、低周波電流発生装置３から出力された低周波電流は、コード３１、３２によって、患部に対して供給され始める。施術者は、通電により惹起される患者刺入部位の筋収縮を確認、あるいは患者から聴取しながら、目的の刺入部位に、目的の通電刺激を実現するために鍼の向き、深浅を調節する。目的に通電刺激が実現できない場合には、再度、鍼体を別の位置に刺入する場合もある。
【００３２】
目的の通電刺激が実現された場合には、鍼保持具１を鍼体に固定した状態で、押し手を鍼保持具１から離し、継続通電を行う。
必要な時間だけ通電が行われると、施術者は、みの虫クリップをはずし、鍼体ごと鍼保持具１を抜去する。そして、施術者は、当該鍼体と鍼保持具１をともに、医療廃棄物として処分する。
【００３３】
続いて、本実施形態にかかる鍼治療システムの効果及びその優位性について説明する。
本実施形態にかかる鍼治療システムでは、鍼刺入という侵襲性の高い治療技術を初学者でも容易に習得できる。従来は、施術者が鍼の刺入が完了した時点でみの虫クリップを鍼に接続して低周波電流を供給して、その効果を確認していた。このように鍼通電下での刺入を実施していなかったのは、みの虫クリップとコードの重量によって鍼自体がたわみ、操作が困難であったことが主たる理由である。
【００３４】
本実施の形態では、押し手により把持した鍼保持具を介して、鍼に対して低周波電流を供給することができるため、みの虫クリップとコードの重量は、鍼に加わらない。従って、鍼通電下で鍼の刺入箇所を変更したり、刺入長さを調整するといった操作が容易できる。このように、低周波電流を通電した状態で、鍼治療を行うことができるため、施術の正確性を向上させることができる。特に、本実施の形態では、鍼を支える押し手側にて鍼体を鍼保持具で挟んだ状態で鍼の操作しているため、鍼の曲がりを防ぐことができ安全面でも有益である。
【００３５】
本実施の形態では、体表から深部に至るどの部分に通電刺激を行うかという目標を通電下で鍼刺入、刺鍼転向などを行いつつ、目的の部位への通電を確認することができる。従って、平易かつ効果的に施術効果を上げることができる。また、指導の現場においても再現性を得るまで刺鍼部位の微調整を行いながら施術目的を達成することができる。
【００３６】
ここで、鍼治療の際に、鍼の刺入深度を変更すると、鍼体に体液が付着することが知られている（非特許文献２参照）。従って、鍼体に対して直接みの虫クリップによって固定していると、みの虫クリップの固定部分も体液が付着する場合があるため、非衛生的である。このとき、みの虫クリップを、適切な滅菌法により滅菌処理すれば衛生的であるといえるが、現実には、作業が煩雑であり、滅菌処理されない場合が多い。
【００３７】
本実施の形態では、体液が付着する可能性がある鍼体に対して鍼保持具を介してみの虫クリップを接続するようにしたため、体液は鍼体や鍼保持具に対して付着したとしても、みの虫クリップやコードまで付着しない。そして、鍼保持具は、上述のように簡易な構成により形成されているため、安価に製造することができ、いわゆる使い捨て用途にすることができる。これにより、被術者から施術者への感染を未然に防ぐという点でも有益である。
【００３８】
また、本実施の形態にかかる鍼保持具は、鍼体を挟み込み固定することできるため、みの虫クリップを鍼体に接続しなおす必要はなく、継続して、低周波鍼通電を行うことができる。
また、本実施の形態では、不感導子として導電ゴム素子を患部に密着させており、従来のように不感導子として患者に鍼を刺入する必要がない。
【００３９】
発明の実施の形態２．
発明の実施の形態２にかかる鍼保持具について、図５〜７を用いて説明する。図５は、組み立て前の鍼保持具の構成を示す図である。鍼保持具５は、端子部５１と、基部５２と、クリック片５３、５４と、対向片５５とを有する。鍼保持具５は、金属製の薄板材料より構成されており、導電性を有する。鍼保持具５は、例えば、アルミニウムにより構成される。
【００４０】
基部５２から、クリック片５３、５４及び対向片５５が一方側に延在し、端子部５１が他方側に延在している。
【００４１】
端子部５１は、コード３１のみの虫クリップによって挟まれて電気的に接続される。
【００４２】
クリック片５３、５４は、それぞれの先端部でリベット等によって接合される。これらクリック片５３、５４は、弾性変形して、二つの静止状態に変化可能である。
対向片５５は、中央付近において山型に屈曲している。対向片５５の先端部は、先端部が接合されたクリック片５３、５４の裏面側に位置する。
【００４３】
図６は、クリック片５３、５４の先端を接合した状態の鍼保持具５を示す。図６において示されるように、鍼保持具５は、一般にパッチン止めと称される構造を有する。図６（ａ）は、クリック片５３、５４がその中央付近において上側に屈曲し、反った状態を示す。このときクリック片５３、５４と対向片５５とは離間している。
【００４４】
図６（ｂ）は、クリック片５３、５４が平坦状に延在した状態を示す。このときクリック片５３、５４と対向片５５とは当接している。鍼保持具５は、施術者のクリック操作によって、図６（ａ）（ｂ）のそれぞれに示す二つの静止状態に変化させることが可能である。
【００４５】
図６（ａ）に示す状態において、鍼４をクリック片５３、５４と対向片５５の間に鍼４を配置した後に、図６（ｂ）に示す状態に変化させて、鍼４をクリック片５３、５４と対向片５５の間に挟み込み、固定する。この鍼４を挟み込む部分が、鍼４を保持する保持部として機能する。
【００４６】
図７は、端子部５１にみの虫クリップを有するコード３１を接続した状態を示す。ここでは、端子部５１は、基部５２に対してほぼ垂直に屈曲させている。使用状態では、基部５２、クック片５３、５４、対向片５５のそれぞれの主面は、鍼４と平行な状態で、患部の皮膚面に対してほぼ垂直に位置する。
【００４７】
このように本実施の形態にかかる鍼保持具５は、発明の実施の形態１と同じ効果を奏するとともに、さらに、クリック操作によって容易に鍼の固定を行うことができるため、操作性に優れているという効果も奏する。
【００４８】
その他の実施の形態．
例えば、鍼保持具は、図７に示されるように、２枚の平板部材６２、６３が互いに当接する方向に付勢された構造を有していてもよい。２枚の平板部材６２、６３の間に鍼が弾性的に挟み込まれて保持される。従って、平板部６２、６３が鍼を保持する保持部として機能する。
この場合には、２枚の平板部材６２、６３を連結する部分から上方に延在する端子部６１を設けている。端子部６１は、みの虫クリップのより挟持される。
【００４９】
なお、本発明は上記実施の形態に限られたものではなく、趣旨を逸脱しない範囲で適宜変更することが可能である。例えば、上述した鍼保持具は、全体が導電体により構成されていたがこれに限らず、一部のみ導電体を有するものであってもよい。この場合、みの虫クリップ等と接続する部分と、鍼を保持する部分と、それらを連結する部分が、導電性を有していればよい。例えば、全体を樹脂で構成し、そして、これらの導電性を有する部分のみを金属板や金属箔で構成するとよい。
【００５０】
また、上述の実施の形態において鍼保持具は鍼を挟み込むことによってこれを保持したがこれに限られない。例えば、鍼保持具は、一部に両面テープが貼付されており、その剥離シートを取り、粘着部が露出した状態で、鍼を粘着させることによってこれを保持する構成としてもよい。
【符号の説明】
【００５１】
１  鍼保持具、２  導電ゴム素子、３  低周波電流発生装置、４  鍼（鍼体）、５  鍼保持具、６  鍼保持具
【図１】
2018057481.tif 000003
【図２】
2018057481.tif 000004
【図３】
2018057481.tif 000005
【図４】
2018057481.tif 000006
【図５】
2018057481.tif 000007
【図６】
2018057481.tif 000008
【図７】
2018057481.tif 000009
【図８】
2018057481.tif 000010